(57)【要約】      （修正有）【課題】スイッチボタンの操作や、設定温度の変更を行うことなく、経時的に暖房能力を自動で制御するようにした電気暖房器具を提供する。【解決手段】暖房器具（遠赤外線パネルヒータ）１０は、筐体１と、ヒータ２と、スイッチ３と、制御部とを備える。スイッチ３は、電源入切スイッチと、自動モードスイッチと、強モードスイッチと、中モードスイッチと、弱モードスイッチからなるスイッチ群から構成される。自動モードスイッチは、予め設定された所定時間の経過によって、発揮される暖房能力（ヒータの発熱強さ）が自動で段階的に小さく変更する（弱く制御する）ように動作することを指示する。すなわち、自動モードスイッチが選択されると、制御部の働きにより、所定のプログラムにしたがって暖房能力を自動で変更する自動モードが機能する。【選択図】図２
0003182592.tif 000002
【実用新案登録請求の範囲】
【請求項１】
ヒータの発熱強さを調整する暖房能力制御手段を備えた電気暖房器具であって、
前記暖房能力制御手段として、予め設定された所定時間の経過によって暖房能力が自動で段階的に小さくなるように変更する自動モード機能を備えていることを特徴とする暖房器具。
【請求項２】
前記ヒータへの通電を実行する電源入ボタンを備え、
前記電源入ボタンを操作することにより、前記自動モード機能が動作するものであることを特徴とする請求項１に記載の暖房器具。
【請求項３】
前記ヒータへの通電中に暖房能力を決定するためのモード選択ボタンを複数備え、
前記自動モード機能は、前記モード選択ボタンの中から一を選択することにより動作するものであることを特徴とする請求項１又は２に記載の暖房器具。
【請求項４】
前記自動モード機能は、最終的に暖房能力が一番小さいヒータの発熱強さを維持するものであることを特徴とする請求項１乃至３の何れか１項に記載の暖房器具。
【請求項５】
前記ヒータの発熱強さは、暖房能力が一番大きい強モード、該強モードより暖房能力が小さい中モード、該中モードより暖房能力がさらに小さい弱モードの三段階に分けられており、
前記自動モード機能は、最初に強モードが動作し、予め設定された所定時間の経過によって、強モードから中モードへ、さらに中モードから弱モードへとそれぞれ変更して動作するものであることを特徴とする請求項１乃至４の何れか１項に記載の暖房器具。
【請求項６】
前記強モードから前記中モードへと変更する所定時間と、前記中モードから前記弱モードへと変更する所定時間は、異なる時間にそれぞれ設定されていることを特徴とする請求項５に記載の暖房器具。
【請求項７】
前記強モードから前記中モードへと変更する所定時間は２時間、前記中モードから前記弱モードへと変更する所定時間は１時間にそれぞれ設定されていることを特徴とする請求項６に記載の暖房器具。
【請求項８】
前記ヒータの発熱強さは、強モードがヒータの出力１００％状態、中モードがヒータの出力７０％状態、弱モードが５０％状態であることを特徴とする請求項５乃至７の何れか１項に記載の暖房器具。
【請求項９】
前記ヒータの発熱強さは、ヒータへの通電時間を制御することで調整するものであることを特徴とする請求項１乃至８の何れか１項に記載の暖房器具。
【請求項１０】
前記ヒータは、遠赤外線を発するものであることを特徴とする請求項１乃至９の何れか１項に記載の暖房器具。
【考案の詳細な説明】
【技術分野】
【０００１】
本考案は、ヒータを有する熱輻射式の電気暖房器具に係り、詳しくは、予め温度を設定することなく自動で暖房能力を制御するようにした技術に関するものである。
【背景技術】
【０００２】
暖房器具は、ファンヒータや電気ヒータのように部屋の空気を暖めるタイプと、ホットカーペットやコタツ、あんか、ひざ掛け、カイロのように身体を暖めるタイプとの二つに大きく分けることができる。また、前者のタイプの暖房器具のうち、ファンヒータは、部屋の空気を温風で直接的に暖めることを特徴とし、一方、電気ヒータは、身体を輻射熱で暖めるほか、部屋の壁や家具を輻射熱で暖めた結果、間接的にその熱で部屋の空気を暖めることを特徴とする。
【０００３】
たとえば、遠赤外線を発するパネルを用いた電気ヒータである遠赤外線パネルヒータは、発熱体によって一面側を加熱することで他面側より輻射熱を発する放射面を備えるので、この放射面から出る輻射熱（遠赤外線）を反射板などで前面に放出し、周囲の空気をジワジワと暖めていく。
【０００４】
ところで、暖房器具の暖房能力を調整する場合、予め暖房能力が決められたスイッチボタンが複数（たとえば、強・弱の二個）設けられ、これらのスイッチボタンを操作して、手動で暖房能力を調整（制御）するものとしている（たとえば、特許文献１参照）。
【０００５】
また、リレーのようなヒータ駆動部を用い、検出したヒータ近傍の温度が設定した温度よりも低いときにはヒータを駆動し、検出した温度が設定温度よりも高くなるとヒータを停止するよう、自動で暖房能力を調整（制御）するにしたものもある（たとえば、特許文献２，３参照）。
【０００６】
しかしながら、暖房能力を手動で調整する前者の手段の場合、経時的な暖まり状況に応じて暖房能力を自動で調整することができないものである。すなわち、暖房器具を用いるときは寒いと感じているときであるため、早く暖まろうとして最も強い暖房能力を選択するが、身体が暖まってきた状況に応じて暖房能力を徐々に下げる（弱くする）必要がある。この場合、暖房能力の調整は、その都度暖房器具のところまで行ってスイッチボタンを操作しなければならず、その作業が煩わしいものであった。一方、暖房能力を調整せずにそのままにしておくと過剰暖房となり、省エネルギーの観点から望ましくない。
【０００７】
また、暖房能力を自動的に調整する後者の手段の場合、周囲の温度（気温）に関係なく感じる寒暖に応じて所望の暖房能力を選択することができないものである。すなわち、暖房器具を用いるときは寒いと感じているときであるが、検出した温度が設定温度付近であれば、暖房能力は弱く制御されることで早く暖まることができない。一方、強い暖房能力での連続運転により身体が暖まり、ちょっと暑いと感じ始めても、検出した温度が設定温度よりも低ければ、そのまま強い暖房能力を維持するものとなっている。ゆえに、身体が感じている状況に応じた適切な暖房能力とすることができず、適切な暖房能力を選択するためには、その都度暖房器具のところまで行って設定温度を手動で変更しなければならず、暖房能力を手動で調整する場合と同様に、その作業が煩わしいものである。
【先行技術文献】
【特許文献】
【０００８】
【特許文献１】実開昭６１−５１６８２号公報
【特許文献２】特開平５−１９７４３３号公報
【特許文献３】実開平４−２７３１１号公報
【考案の概要】
【考案が解決しようとする課題】
【０００９】
本考案は、上記事情に鑑みて成されたものであり、スイッチボタンの操作や、設定温度の変更を行うことなく、経時的に暖房能力を自動で制御するようにした電気暖房器具を提供することを目的とする。
【課題を解決するための手段】
【００１０】
本考案の請求項１に係る暖房器具は、ヒータの発熱強さを調整する暖房能力制御手段を備えた電気暖房器具であって、前記暖房能力制御手段として、予め設定された所定時間の経過によって暖房能力が自動で段階的に小さくなるように変更する自動モード機能を備えていることを特徴とする。
【００１１】
本考案の請求項２に係る暖房器具は、請求項１に記載の暖房器具において、前記ヒータへの通電を実行する電源入ボタンを備え、前記電源入ボタンを操作することにより、前記自動モード機能が動作するものであることを特徴とする。
【００１２】
本考案の請求項３に係る暖房器具は、請求項１又は２に記載の暖房器具において、前記ヒータへの通電中に暖房能力を決定するためのモード選択ボタンを複数備え、前記自動モード機能は、前記モード選択ボタンの中から一を選択することにより動作するものであることを特徴とする。
【００１３】
本考案の請求項４に係る暖房器具は、請求項１乃至３の何れか１項に記載の暖房器具において、前記自動モード機能は、最終的に暖房能力が一番小さいヒータの発熱強さを維持するものであることを特徴とする。
【００１４】
本考案の請求項５に係る暖房器具は、請求項１乃至４のいずれか１項に記載の暖房器具において、前記ヒータの発熱強さは、暖房能力が一番大きい強モード、該強モードより暖房能力が小さい中モード、該中モードより暖房能力がさらに小さい弱モードの三段階に分けられており、前記自動モード機能は、最初に強モードが動作し、予め設定された所定時間の経過によって、強モードから中モードへ、さらに中モードから弱モードへとそれぞれ変更して動作するものであることを特徴とする。
【００１５】
本考案の請求項６に係る暖房器具は、請求項５に記載の暖房器具において、前記強モードから前記中モードへと変更する所定時間と、前記中モードから前記弱モードへと変更する所定時間は、異なる時間にそれぞれ設定されていることを特徴とする。
【００１６】
本考案の請求項７に係る暖房器具は、請求項６に記載の暖房器具において、前記強モードから前記中モードへと変更する所定時間は２時間、前記中モードから前記弱モードへと変更する所定時間は１時間にそれぞれ設定されていることを特徴とする。
【００１７】
本考案の請求項８に係る暖房器具は、請求項５乃至７のいずれか１項に記載の暖房器具において、前記ヒータの発熱強さは、強モードがヒータの出力１００％状態、中モードがヒータの出力７０％状態、弱モードが５０％状態であることを特徴とする。
【００１８】
本考案の請求項９に係る暖房器具は、前記請求項１乃至８の何れか１項に記載の暖房器具において、前記ヒータの発熱強さは、ヒータへの通電時間を制御することで調整するものであることを特徴とする。
【００１９】
本考案の請求項１０に係る暖房器具は、前記請求項１乃至９の何れか１項に記載の暖房器具において、前記ヒータは、遠赤外線を発するものであることを特徴とする。
【考案の効果】
【００２０】
本考案に係る暖房器具は、ヒータの強さを調整する暖房能力制御手段として、最初暖房能力が強く、所定時間の経過後に暖房能力が自動で段階的に弱く変更して動作する自動モード機能を備える。ゆえに、この自動モード機能によって、暖房器具を用いるときの周囲の気温に関係なく最初は暖房能力が強く、その後、経時的な暖まり状況に応じて（暖まったころを見計らって）暖房能力が自動で段階的に弱くなるように制御されるので、暖房器具の運転時間に応じて一般的に感じることとなる寒暖状況に応じて、暖房能力が適切に調整されたものとなる。
したがって、スイッチボタンの操作や、設定温度の変更といった、暖房能力を調整する煩わしい手間を省いて、自動で経時的に暖房能力を制御するようにした電気暖房器具を提供することができる。
【図面の簡単な説明】
【００２１】
【図１】本考案に係る暖房器具に設けられたスイッチボタンを示す平面図である。
【図２】本考案に係る暖房器具を示す正面斜視図である。
【図３】本考案に係る暖房器具の構造を模式的に説明するブロック構成図である。
【図４】図１に示されたスイッチボタンにおいて、電源入切ボタンを押したときに動作する処理の流れを説明するフローチャート図である。
【図５】図１に示されたスイッチボタンにおいて、自動モードボタンを押したときに動作する処理の流れを説明するフローチャート図である。
【図６】図１に示されたスイッチボタンにおいて、強モードボタンを押したときに動作する処理の流れを説明するフローチャート図である。
【図７】図１に示されたスイッチボタンにおいて、中モードボタンを押したときに動作する処理の流れを説明するフローチャート図である。
【図８】図１に示されたスイッチボタンにおいて、弱モードボタンを押したときに動作する処理の流れを説明するフローチャート図である。
【考案を実施するための形態】
【００２２】
以下、本考案における実施の形態の一例について、図面を参照して説明する。
なお、以下に述べる実施の形態は、本考案の好適な具体例であるため技術的に種々の限定が付されているが、本考案の範囲は、以下の説明において特に限定する旨の記載がない限り、これらの形態に限られるものではない。
【００２３】
本実施の形態では、暖房器具として、遠赤外線を放射する面状発熱体を備えた遠赤外線パネルヒータを例として説明する。
この遠赤外線パネルヒータは、部屋に対して放射面が露呈して設置されるものであり、放射面から発せられる輻射熱によって部屋の空気を間接的に暖めるだけでなく、遠赤外線の効果により体の表面だけでなく内側からも優しく暖めてくれるので、近年注目されている暖房器具である。
【００２４】
図１乃至図３に示すように、本実施の形態における暖房器具（遠赤外線パネルヒータ）１０は、主として、筐体１と、ヒータ２と、スイッチ３と、制御部４とを備える。
筐体１は、ヒータ２と共に、スイッチ３や制御部４（図示せず）が搭載される外装部材である。
【００２５】
ヒータ２は、輻射熱を発生する放射面を備えた発熱装置であり、たとえば、前面フレームと、輻射熱放射パネルと、面状発熱体と、背面パネルとが前面側から順に密着するように重ね合わされた構成のパネルヒータユニットとすることができる。
前面フレームは、パネルヒータユニットの組み付け用の金属枠体である。
【００２６】
輻射熱放射パネルは、熱源（発熱体）から放たれる熱を伝達し輻射熱として発することができるものであれば良く、たとえば、金属や木材、ガラス等から構成された平板状体とすることができる。この輻射熱放射パネルとしては、熱衝撃や機械的衝撃に強く、重ね合わされる発熱体による高温での加熱によって変質や劣化を生じる虞の少ない金属体が望ましく、特に、短時間に加熱ができて熱効率の点で優れているアルミ板を用いることが望ましい。
【００２７】
また、本実施の形態において、輻射熱放射パネルは、放射面より輻射熱として遠赤外線を発するものとする。この場合、輻射熱放射パネルとしては、たとえば、セラミック板、金属板上に遠赤外線放射性セラミックコーティング加工を施したセラミック塗装板、金属板上に特殊アルマイトコーティング加工を施した表面酸化皮膜板、金属板上に遠赤外線放射性塗料コーティング加工を施した遠赤外線塗料板、耐熱強化板、等を挙げることができる。このように輻射熱として遠赤外線を発することで、ムラなく均一に暖めることができ、暖房効率が高いものとすることができる。
【００２８】
面状発熱体は、輻射熱放射パネルを一面側より加熱する発熱体である。面状発熱体は、たとえば、シート状をした２枚の絶縁マイカの間に、通電することで発熱する薄板状電熱線を挟み込んだ構造をしたものとすることができる。また、薄板状電熱線としては、板状ニクロム線が挙げることができる。この面状発熱体は、表面温度が所定の温度となるまで輻射熱放射パネルを加熱する。
【００２９】
背面パネルは、輻射熱放射パネルの反りを防止するための押さえ板である。
なお、パネルヒータユニットにおいて、面状発熱体と背面パネルとの間に、背面側への熱の放出を防止する断熱シート体を配するようにしても良い。
【００３０】
スイッチ３は、本実施の形態において、押圧ボタン式のスイッチとして示され、図１に示すように、電源入切スイッチ（ボタン）３０と、自動モードスイッチ（ボタン）３１と、強モードスイッチ（ボタン）３２と、中モードスイッチ（ボタン）３３と、弱モードスイッチ（ボタン）３４からなるスイッチ群から構成されている。
【００３１】
電源入切スイッチ３０は、ヒータ２が発熱するように通電すること、又はヒータ２への通電を停止するといった操作を行う。
自動モードスイッチ３１と、強モードスイッチ３２と、中モードスイッチ３３と、弱モードスイッチ３４は、通電状態において選択することで、ヒータ２の発熱強さをそれぞれ変更するモード切替えスイッチである。すなわち、本実施の形態においては、暖房能力を決定するためのモード選択ボタンを複数備え、これらのモード選択ボタンの中から一を選択して動作させるものとなっている。
【００３２】
自動モードスイッチ３１は、予め設定された所定時間の経過によって、発揮される暖房能力（ヒータの発熱強さ）が自動で段階的に小さく変更する（弱く制御する）ように動作することを指示する。すなわち、自動モードスイッチ３１が選択されると、後述する制御部４の働きにより、所定のプログラムにしたがって暖房能力を自動で変更する自動モードが機能するものとなっている。
【００３３】
また、自動モード機能は、最終的に暖房能力が一番小さくなったヒータ２の発熱強さを維持（連続運転）するものとしても良い。
このように自動モード機能の最後が、暖房能力が一番小さい（弱い）状態を維持するものであると、経時的な暖まり状況に応じて過剰な暖房を抑制し、適切に暖房することができ、省エネルギーの観点からも望ましいものとすることができる。
【００３４】
強モードスイッチ３２は、暖房器具１０が備える一番大きい暖房能力が発揮される強モードが動作することを指示する。
中モードスイッチ３３は、強モードスイッチ３２の選択によって発揮される暖房能力より小さい暖房能力が発揮される中モードが動作することを指示する。
弱モードスイッチ３４は、中モードスイッチ３３の選択によって発揮される暖房能力よりさらに小さく、一番小さい暖房能力が発揮される弱モードが動作することを指示する。
【００３５】
上述の自動モードとしては、たとえば、ヒータ２の暖房能力（発熱強さ）が三段階に分かれていた場合、最初に一番大きい暖房能力が発揮される強モードが動作し、次いで、予め設定された第一の所定時間の経過後に、該強モードより小さい暖房能力が発揮される中モードが機能するように暖房能力を変更して動作し、さらに、予め設定された第二の所定時間の経過後に、該中モードよりさらに小さい弱モードが機能するように暖房能力を変更して動作するものとすることができる。すなわち、自動モードは、暖房器具１０の運転モードを自動で適切なモードに切り替えるものである。
【００３６】
したがって、自動モード以外のモード、すなわち、強モード、中モード、弱モードの何れかのモードにしたがってヒータ２が動作しているときであっても、自動モードスイッチボタン３１を押したときは寒いと感じているものと判断し、周囲の温度に関係なく直ちに強い暖房能力を発揮させることで適切に暖房すると共に、その後は、暖房能力の選択を行うことがなくても、自動で暖房能力を徐々に弱めるものとなる。
【００３７】
ここで、予め設定された所定時間、すなわち、上記強モードから上記中モードへと変更する第一の所定時間、及び上記中モードから上記弱モードへと変更する第二の所定時間は、互いに同じであっても、それぞれ異なって設定されていても良い。
第一の所定時間と第二の所定時間とが異なる場合は、たとえば、第一の所定時間が２時間、第二の所定時間が１時間とすることができる。
【００３８】
また、本実施の形態においては、電源入切スイッチ３０を選択することによっても、自動モード機能が動作するものとなっている。すなわち、電源入切スイッチボタン３０を押すことで、自動モードスイッチボタン３１を選択していなくても自動モードスイッチボタン３１が押されたと同様に処理される所定のプログラムにしたがって自動モード機能が動作するものとなっている。
【００３９】
このように電源入切スイッチボタン３０を操作したときに上述のような自動モード機能を動作させることで、電源入切スイッチボタン３０の入操作時は寒いと感じているものと判断し、わざわざ強モードスイッチ３２を選択しなくても、周囲の温度に関係なく強い暖房能力を発揮させると共に、その後も暖房能力の選択を行うことなく自動で暖房能力を徐々に弱めるように制御することができる。
【００４０】
ヒータ２の発熱強さ、すなわち、強モード、中モード、弱モードといった各モードにおける暖房能力は、たとえば、強モードがヒータの出力１００％状態、中モードがヒータの出力７０％状態、弱モードが５０％状態によって異なるものとすることができる。
【００４１】
また、ヒータ２の発熱強さは、ヒータ２への通電時間を制御することで調整することができる。たとえば、出力１００％状態とする強モードの通電状態は、ヒータ２への連続通電により達成することができる。また、出力７０％状態とする中モードの通電状態は、ヒータ２へ２．１／３秒間通電により達成することができる。さらに、出力５０％状態とする弱モードの通電状態は、ヒータ２へ１．５／３秒間通電により達成することができる。
【００４２】
制御部４は、少なくともトライアック制御回路４１と、ＣＰＵ（中央処理装置）４２とを有する。
トライアック制御回路４１は、電源９とヒータ２との間に介在し、ＡＣ電源９から供給される電力を入り切りし、ヒータ２への電力の供給を制御する。このトライアック制御回路４１は、トライアックとスイッチとを備え、トライアックのゲートに流れる電流をスイッチによって調整し、ヒータ２側へ流れる電流値を調整する。
【００４３】
トライアック駆動回路４１のスイッチの部分には、たとえばフォトトライアックカプラを使用することができる。フォトトライアックカプラは、ＬＥＤが組み込まれている部品であり、このＬＥＤを点灯するとフォトトライアックカプラを導通状態にすることができる。フォトトライアックカプラが導通状態になると、トライアックのゲートに電流が流れ、トライアックが導通状態になる。そうすると、フォトトライアックカプラにかかる電圧がほぼ０Ｖになるので導通状態が解除される。ゆえに、トライアックのゲートにはトライアックが導通するまでの短い時間しか電流は流れない。
【００４４】
このようなスイッチの動作により、トライアックのゲートに印加される電流を制御することができる。
したがって、トライアック駆動回路４１のスイッチを制御することで、所望の割合でトライアックを導通及び遮断させることができる。
【００４５】
ＣＰＵ４２は、トライアック駆動回路４１を制御する。
ＣＰＵ４２には、ヒータ２を制御するプログラム、すなわち、トライアックの導通状態と遮断状態を決める通電パターンが記録されている。この通電パターンは、ヒータ２に電圧が印加される期間を異ならせるものであり、複数個が用意されている。ゆえに、プログラムにしたがってトライアック駆動回路４１が制御され、選択された通電パターンに対応した通電割合でヒータ２に電圧を印加できるようになっている。
【００４６】
ＣＰＵ４２では、動作信号（クロック周波数）を時間に換算してカウントをとっている。ゆえに、ＣＰＵ４２は、カウントした時間情報をトライアック制御回路４１に伝え、トライアック制御回路４１がヒータ２への通電状態を制御する。
【００４７】
さらに、図示しないが、本実施の形態における暖房器具１０は、たとえば、サーミスタなどの温度検知素子が組み込まれた自動温度調節装置（サーモスタット）を備え、それぞれのモードに応じた温度を一定に保つように発熱体を発熱させる制御が行なわれるものとなっている。
【００４８】
なお、図２中の符号５は、ヒータ２の前面を覆うように筐体１へ取り付けられた防御網であり、ヒータ２の表面への接触を防止する。また、符号８は、パネルヒータ１０の移動を容易にするための移動キャスターであり、符号９ａは、電源を供給するコンセントへ電気的に接続されるプラグである。
【００４９】
以上のように構成された暖房器具１０を使用する場合は、図４乃至図８に示すフローチャートにしたがってそれぞれの処理が開始される。
以下、電源入切スイッチボタン３０を押した場合、自動モードスイッチボタン３１を押した場合、強モードスイッチボタン３２を押した場合、中モードスイッチボタン３３を押した場合、及び弱モードスイッチボタン３１を押した場合に分けて説明する。
【００５０】
＜電源入切スイッチボタン３０を押した場合＞
電源入切スイッチボタン３０を押した場合は、図４に示すフローチャートにしたがって処理が開始される。
まず、使用者が電源入切スイッチボタン３０を押すと、制御部４は、電源入切スイッチ３０からの電源スイッチ入情報を受け取り、この電源スイッチ入情報に対応してＣＰＵ４２に記録されたプログラムにしたがって、自動モードが選択されたもの仮定して判断する（Ｓ１０）。
【００５１】
ＣＰＵ４２は、引き続き、自動モードに対応するプログラムの通電パターンにしたがって、最初にヒータ２の出力が１００％状態（すなわち、暖房能力が強モード状態）となるように、トライアック制御回路４１へ通電情報を伝える。トライアック制御回路４１は、ＣＰＵ４２からの通電情報にしたがってヒータ２へ連続通電するように通電状態を制御し、ヒータ２が出力１００％状態となるように暖房能力を制御する（Ｓ２０）。
【００５２】
また、ＣＰＵ４２は、強モード状態での動作時間のカウントを開始する（Ｓ３０）。
ＣＰＵ４２は、自動モードに対応するプログラムの通電パターンにしたがってトライアック制御回路４１へ通電情報を伝え、トライアック制御回路４１は、ヒータ２が出力１００％状態を維持するように暖房能力を制御する（Ｓ４０）。
【００５３】
ＣＰＵ４２は、カウントしている動作時間が２時間経過したか否か判断する（Ｓ５０）。
その結果、ＣＰＵ４２が２時間経過したと判断した場合（Ｙｅｓ、以下「Ｙ」と記す。）、ＣＰＵ４２は、ヒータ２の出力が７０％状態（すなわち、暖房能力が中モード状態）となるように、トライアック制御回路４１へ新たな通電情報を伝える。トライアック制御回路４１は、ＣＰＵ４２からの通電情報にしたがってヒータ２への通電状態を２．１／３秒間通電とし、ヒータ２が出力７０％状態となるように暖房能力を変更する（Ｓ６０）。
【００５４】
一方、ＣＰＵ４２が２時間経過していないと判断した場合（Ｎｏ、以下「Ｎ」と記す。）、自動モードに対応するプログラムの通電パターンにしたがってトライアック制御回路４１は、そのままヒータ２が出力１００％状態を維持するように暖房能力を制御し（Ｓ４０）、ＣＰＵ４２は、カウントしている動作時間が２時間経過したか否か判断することを繰り返す（Ｓ５０）。
【００５５】
ヒータ２が出力７０％状態となるように暖房能力が変更されると、ＣＰＵ４２は、自動モードに対応するプログラムの通電パターンにしたがってトライアック制御回路４１へ通電情報を伝え、トライアック制御回路４１は、ヒータ２が出力７０％状態を維持するように暖房能力を制御する（Ｓ７０）。
【００５６】
次いで、ＣＰＵ４２は、カウントしている動作時間がさらに１時間経過したか否か判断する（Ｓ８０）。
その結果、ＣＰＵ４２が１時間経過したと判断した場合（Ｙ）、ＣＰＵ４２は、ヒータ２の出力が５０％状態（すなわち、暖房能力が弱モード状態）となるように、トライアック制御回路４１へ新たな通電情報を伝える。トライアック制御回路４１は、ＣＰＵ４２からの通電情報にしたがってヒータ２への通電状態を１．５／３秒間通電とし、ヒータ２が出力５０％状態となるように暖房能力を変更する（Ｓ９０）。
【００５７】
一方、ＣＰＵ４２が１時間経過していないと判断した場合（Ｎ）、自動モードに対応するプログラムの通電パターンにしたがってトライアック制御回路４１は、そのままヒータ２が出力７０％状態を維持するように暖房能力を制御し（Ｓ７０）、ＣＰＵ４２は、カウントしている動作時間が１時間経過したか否か判断することを繰り返す（Ｓ８０）。
【００５８】
ヒータ２が出力５０％状態となるように暖房能力が変更されると、ＣＰＵ４２は、自動モードに対応するプログラムの通電パターンにしたがってトライアック制御回路４１へ通電情報を伝え、トライアック制御回路４１は、ヒータ２が出力５０％状態を維持するように暖房能力を制御する（Ｓ１００）。
【００５９】
ヒータ２が出力５０％状態となるように暖房能力が変更された後は、ＣＰＵ４２は、電源切が選択されたか否か判断する（Ｓ１１０）。すなわち、暖房器具１０の運電中に使用者が電源入切スイッチボタン３０を押すことにより、制御部４が電源入切スイッチ３０からの電源切情報を受け取ったか否か判断する。
その結果、ＣＰＵ４２が、電源切が選択されたと判断した場合（Ｙ）、ヒータ２への通電が遮断され、暖房器具１０は運伝を停止する。
【００６０】
一方、ＣＰＵ４２が、電源切が選択されていないと判断した場合（Ｎ）、自動モードに対応するプログラムの通電パターンにしたがってトライアック制御回路４１は、そのままヒータ２が出力５０％状態を維持するように暖房能力を制御し（Ｓ１００）、ＣＰＵ４２は、電源切が選択されたか否か判断することを繰り返す（Ｓ１１０）。
【００６１】
なお、暖房能力が弱モード状態である場合に限らずどのような運転モードであっても、暖房器具１０の運電中に電源入切スイッチボタン３０が押され、制御部４が電源切情報を受け取った場合は、直ちにヒータ２への通電が遮断され、暖房器具１０は運伝を停止する。
以上により、電源入切スイッチボタン３０を押しただけのときの処理が終了する。
【００６２】
＜自動モードスイッチボタン３１を押した場合＞
自動モードスイッチボタン３１を押した場合は、図５に示すフローチャートにしたがって処理が開始される。
使用者が電源入切スイッチボタン３０を押すことにより、自動モードが選択されたものと仮定して判断し（Ｓ１０）、ヒータ２が出力１００％状態となるように暖房能力を制御すると共に（Ｓ２０）、強モード状態での動作時間のカウントを開始し（Ｓ３０）、ヒータ２が出力１００％状態を維持するように暖房能力を制御する（Ｓ４０）までの処理は、電源入切スイッチボタン３０を押した場合と同様である。
【００６３】
電源入切スイッチボタン３０が押された後、引き続き、制御部４は、自動モードスイッチ３１からの自動モード選択情報を受け取ったか否かを判断する（Ｓ４１−１）。
ここで、使用者が自動モードスイッチボタン３１を押すことにより、制御部４が自動モード選択情報を受け取ったと判断した場合（Ｙ）、ＣＰＵ４２は、カウントしている動作時間をリセットする（Ｓ４１−２）と共に、トライアック制御回路４１は、自動モードに対応するプログラムの通電パターンにしたがって、そのままヒータ２が出力１００％状態を維持するように暖房能力を制御する（Ｓ４１−３）。
【００６４】
そして、動作時間がリセットされた後は、電源入切スイッチボタン３０を押した場合と同様に、新たにカウントしている動作時間が２時間経過したか否か判断し（Ｓ５０）、その後は同じ処理を行う。
【００６５】
一方、制御部４が自動モード選択情報を受け取っていないと判断した場合（Ｎ）、ＣＰＵ４２は、電源入切スイッチボタン３０を押した場合と同様に、動作時間をリセットせずにカウントを続け、カウントしている動作時間が２時間経過したか否か判断し（Ｓ５０）、その後は、上記電源入切スイッチボタン３０を押した場合において説明した自動モードに対応するプログラムと同様の処理を行う。
【００６６】
なお、暖房能力が強モード状態である場合に限らず、どのような運転モード状態であっても、暖房器具１０の運電中に自動モードスイッチ３１が押され、制御部４が自動モード選択情報を受け取った場合は、直ちにヒータ２が出力１００％状態となるように暖房能力を制御すると共に、強モード状態での動作時間のカウントを開始する。
以上により、自動モードスイッチ３１を押したときの処理が終了する。
【００６７】
＜強モードスイッチボタン３２を押した場合＞
強モードスイッチボタン３２を押した場合は、図６に示すフローチャートにしたがって処理が開始される。
使用者が電源入切スイッチボタン３０を押すことにより、自動モードが選択されたものと仮定して判断され（Ｓ１０）、ヒータ２が出力１００％状態となるように暖房能力を制御すると共に（Ｓ２０）、強モード状態での動作時間のカウントを開始し（Ｓ３０）、ヒータ２が出力１００％状態を維持するように暖房能力を制御する（Ｓ４０）までの処理は、電源入切スイッチボタン３０を押した場合と同様である。
【００６８】
電源入切スイッチボタン３０が押された後、引き続き、制御部４は、強モードスイッチ３２からの強モード選択情報を受け取ったか否かを判断する（Ｓ４２−１）。
ここで、使用者が強モードスイッチボタン３２を押すことにより、制御部４が強モード選択情報を受け取ったと判断した場合（Ｙ）、ＣＰＵ４２は、強モードに対応するプログラムの通電パターンにしたがってトライアック制御回路４１へ新たな通電情報を伝え、トライアック制御回路４１は、ＣＰＵ４２からの通電情報にしたがって、動作時間に関係なくそのままヒータ２が出力１００％状態を維持するように暖房能力を制御する（Ｓ４２−２）。
【００６９】
一方、制御部４が強モード選択情報を受け取っていないと判断した場合（Ｎ）、ＣＰＵ４２は、自動モードが選択された場合と同様に、カウントしている動作時間が２時間経過したか否か判断し（Ｓ５０）、その後は同じ処理を行う。
【００７０】
引き続き、ＣＰＵ４２は、電源切が選択されたか否か判断する（Ｓ４２−３）。すなわち、暖房器具１０の運電中に使用者が電源入切スイッチボタン３０を押すことにより、制御部４が電源入切スイッチ３０からの電源切情報を受け取ったか否か判断する。
その結果、ＣＰＵ４２が、電源切が選択されたと判断した場合（Ｙ）、ヒータ２への通電が遮断され、暖房器具１０は運伝を停止する。
【００７１】
一方、ＣＰＵ４２が、電源切が選択されていないと判断した場合（Ｎ）、強モードに対応するプログラムの通電パターンにしたがってトライアック制御回路４１は、そのままヒータ２が出力１００％状態を維持するように暖房能力を制御し（Ｓ４２−２）、ＣＰＵ４２は、電源切が選択されたか否か判断することを繰り返す（Ｓ４２−３）。
以上により、強モードスイッチボタン３２を押したときの処理が終了する。
【００７２】
＜中モードスイッチボタン３３を押した場合＞
中モードスイッチボタン３３を押した場合は、図７に示すフローチャートにしたがって処理が開始される。
使用者が電源入切スイッチボタン３０を押すことにより、自動モードが選択されたものと仮定して判断され（Ｓ１０）、ヒータ２が出力１００％状態となるように暖房能力を制御すると共に（Ｓ２０）、強モード状態での動作時間のカウントを開始し（Ｓ３０）、ヒータ２が出力１００％状態を維持するように暖房能力を制御する（Ｓ４０）までの処理は、電源入切スイッチボタン３０を押した場合と同様である。
【００７３】
電源入切スイッチボタン３０が押された後、引き続き、制御部４は、中モードスイッチ３３からの中モード選択情報を受け取ったか否かを判断する（Ｓ４３−１）。
ここで、使用者が中モードスイッチボタン３３を押すことにより、制御部４が中モード選択情報を受け取ったと判断した場合（Ｙ）、ＣＰＵ４２は、中モードに対応するプログラムの通電パターンにしたがってトライアック制御回路４１へ新たな通電情報を伝え、トライアック制御回路４１は、ＣＰＵ４２からの通電情報にしたがってヒータ２への通電状態を２．１／３秒間通電とし、ヒータ２が出力７０％状態となるように暖房能力を変更する（Ｓ４３−２）。
【００７４】
一方、制御部４が中モード選択情報を受け取っていないと判断した場合（Ｎ）、ＣＰＵ４２は、自動モードが選択された場合と同様に、暖房能力を変更することなくカウントしている動作時間が２時間経過したか否か判断し（Ｓ５０）、その後は同じ処理を行う。
【００７５】
ヒータ２が出力７０％状態となるように暖房能力が変更されると、ＣＰＵ４２は、中モードに対応するプログラムの通電パターンにしたがってトライアック制御回路４１へ通電情報を伝え、トライアック制御回路４１は、ヒータ２が出力７０％状態を維持するように暖房能力を制御する（Ｓ４３−３）。
【００７６】
引き続き、ＣＰＵ４２は、電源切が選択されたか否か判断する（Ｓ４３−４）。すなわち、暖房器具１０の運電中に使用者が電源入切スイッチボタン３０を押すことにより、制御部４が電源入切スイッチ３０からの電源切情報を受け取ったか否か判断する。
その結果、ＣＰＵ４２が、電源切が選択されたと判断した場合（Ｙ）、ヒータ２への通電が遮断され、暖房器具１０は運伝を停止する。
【００７７】
一方、ＣＰＵ４２が、電源切が選択されていないと判断した場合（Ｎ）、中モードに対応するプログラムの通電パターンにしたがってトライアック制御回路４１は、そのままヒータ２が出力７０％状態を維持するように暖房能力を制御し（Ｓ４３−３）、ＣＰＵ４２は、電源切が選択されたか否か判断することを繰り返す（Ｓ４３−４）。
以上により、中モードスイッチボタン３３を押したときの処理が終了する。
【００７８】
＜弱モードスイッチボタン３４を押した場合＞
最後に、弱モードスイッチボタン３４を押した場合は、図８に示すフローチャートにしたがって処理が開始される。
使用者が電源入切スイッチボタン３０を押すことにより、自動モードが選択されたものと仮定して判断され（Ｓ１０）、ヒータ２が出力１００％状態となるように暖房能力を制御すると共に（Ｓ２０）、強モード状態での動作時間のカウントを開始し（Ｓ３０）、ヒータ２が出力１００％状態を維持するように暖房能力を制御する（Ｓ４０）までの処理は、電源入切スイッチボタン３０を押した場合と同様である。
【００７９】
電源入切スイッチボタン３０が押された後、引き続き、制御部４は、弱モードスイッチ３４からの弱モード選択情報を受け取ったか否かを判断する（Ｓ４４−１）。
ここで、使用者が弱モードスイッチボタン３４を押すことにより、制御部４が弱モード選択情報を受け取ったと判断した場合（Ｙ）、ＣＰＵ４２は、弱モードに対応するプログラムの通電パターンにしたがってトライアック制御回路４１へ新たな通電情報を伝え、トライアック制御回路４１は、ＣＰＵ４２からの通電情報にしたがってヒータ２への通電状態を１．５／３秒間通電とし、ヒータ２が出力５０％状態となるように暖房能力を変更する（Ｓ４４−２）。
【００８０】
一方、制御部４が弱モード選択情報を受け取っていないと判断した場合（Ｎ）、ＣＰＵ４２は、自動モードが選択された場合と同様に、暖房能力を変更することなくカウントしている動作時間が２時間経過したか否か判断し（Ｓ５０）、その後は同じ処理を行う。
【００８１】
ヒータ２が出力５０％状態となるように暖房能力が変更されると、ＣＰＵ４２は、弱モードに対応するプログラムの通電パターンにしたがってトライアック制御回路４１へ通電情報を伝え、トライアック制御回路４１は、ヒータ２が出力５０％状態を維持するように暖房能力を制御する（Ｓ４４−３）。
【００８２】
ＣＰＵ４２は、電源切が選択されたか否か判断する（Ｓ４４−４）。すなわち、暖房器具１０の運電中に使用者が電源入切スイッチボタン３０を押すことにより、制御部４が電源入切スイッチ３０からの電源切情報を受け取ったか否か判断する。
その結果、ＣＰＵ４２が、電源切が選択されたと判断した場合（Ｙ）、ヒータ２への通電が遮断され、暖房器具１０は運伝を停止する。
【００８３】
一方、ＣＰＵ４２が、電源切が選択されていないと判断した場合（Ｎ）、弱モードに対応するプログラムの通電パターンにしたがってトライアック制御回路４１は、そのままヒータ２が出力５０％状態を維持するように暖房能力を制御し（Ｓ４４−３）、ＣＰＵ４２は、電源切が選択されたか否か判断することを繰り返す（Ｓ４４−４）。
以上により、弱モードスイッチボタン３４を押したときの処理が終了する。
【００８４】
このように本考案における暖房器具１０では、使用者の意志によるスイッチボタンの手動操作によって暖房能力を調整（変更）することができる通常の暖房能力切替手段を備えるほか、暖房能力を調整する暖房能力制御手段として、予め設定された所定時間の経過によって暖房能力が自動で段階的に小さくなるように変更する自動モード機能を備えているので、この自動モードを選択することで、暖房能力を調整する煩わしい手間を省いて、使用者の意志に沿うように自動で経時的に暖房能力を変更することができる。
【００８５】
また、本実施の形態においては、ヒータ２への通電中に暖房能力を選択するためのモード変更ボタンは、自動モードスイッチボタン３１と、強モードスイッチボタン３２と、中モードスイッチボタン３３と、弱モードスイッチボタン３４といった四つのスイッチボタンから構成されている場合につて説明したが、モード変更ボタンはこれに限らず、たとえば、モード変更ボタンを一つだけ備え、このモード変更ボタンの選択（押圧）回数により、所望のモードが動作するようにしても良い。
【００８６】
このようにモード変更ボタンを一つだけ備えたものとすると、モード変更ボタンの数やその設置スペースを少なくすることができ、経済的に望ましいと共に、設計的に自由度を高めることができる。
【００８７】
なお、本実施の形態では、電気暖房器具としてパネルヒータについて説明したが、本考案はこれに限らず、カーペットや床暖房のような暖房構造を有する電気暖房器具にも応用することができるものである。
【符号の説明】
【００８８】
１  筐体、２  ヒータ（パネルヒータユニット）、３  スイッチボタン、４  制御部、５  防御網、８  移動キャスター、１０  暖房器具（遠赤外線パネルヒータ）、４１  トライアック駆動回路、４２  ＣＰＵ（中央処理装置）。
【図１】
0003182592.tif 000003
【図２】
0003182592.tif 000004
【図３】
0003182592.tif 000005
【図４】
0003182592.tif 000006
【図５】
0003182592.tif 000007
【図６】
0003182592.tif 000008
【図７】
0003182592.tif 000009
【図８】
0003182592.tif 000010